(57)【要約】【課題】室温を下げず、且つ結露を発生させずに二次循環回路の凍結を防ぐ貯湯式暖房装置を提供する。【解決手段】二次循環回路１７を流れる熱媒の温度を検出する熱媒温度検出手段２８を前記二次循環回路１７内に設け、前記熱媒温度検出手段２８により検出される熱媒温度が凍結防止温度以下になった場合、切替手段２２を取り出し口２０側に切り替え、一次側循環ポンプ１０を駆動させて取り出し管２１からの温水を一次循環回路１２に循環させると共に、暖房熱交換器４を通過して加熱された熱媒を前記二次循環回路１７内に備えた二次側循環ポンプ１８を駆動させることにより、前記二次循環回路１７内に循環させることで前記二次循環回路１７の凍結防止ができ、室温の低下防止や結露の発生防止が図られ、また昇温した熱媒の循環による予熱作用もあり、床暖房使用時の立ち上がり負荷の軽減も図られる。【選択図】  図１
2008051354.tif 000002
【特許請求の範囲】
【請求項１】
貯湯タンク内の湯水を高温に加熱する加熱手段と、前記貯湯タンク上部の出湯口からの高温水を暖房熱交換器に供給する高温水供給管と、前記暖房熱交換器で熱交換後の温度低下した温水を戻り管を介して、前記貯湯タンク下部の戻り口より該貯湯タンクに戻す一次側循環ポンプを備えた一次循環回路と、前記暖房熱交換器を通過して加熱された熱媒を、暖房用放熱器で放熱させた後に再び前記暖房熱交換器に循環させる二次側循環ポンプを備えた二次循環回路とを備えて室内の暖房を行うようにし、前記出湯口から戻り口までの間の貯湯タンクには中温水の取り出し口と、該取り出し口に連通する取り出し管を備え、この取り出し管を高温水供給管途中に接続し、この接続部分あるいは接続部分と前記出湯口との間の前記高温水供給管および前記取り出し管に、温水の取り出しを出湯口と取り出し口とで切替える切替手段を備えた貯湯式暖房装置に於いて、前記二次循環回路を流れる熱媒の温度を検出する熱媒温度検出手段を前記二次循環回路内に設け、前記熱媒温度検出手段により検出される熱媒温度が凍結防止温度以下になった場合、前記切替手段を前記取り出し口側に切り替え、前記一次側循環ポンプを駆動させて前記取り出し管からの温水を前記一次循環回路に循環させると共に、前記暖房熱交換器を通過して加熱された熱媒を前記二次循環回路内に備えた二次側循環ポンプを駆動させることにより、前記二次循環回路内に循環させることで前記二次循環回路の凍結防止を行うことを特徴とする貯湯式暖房装置。
【請求項２】
貯湯タンク内の湯水を高温に加熱する加熱手段と、前記貯湯タンク上部の出湯口からの高温水を暖房熱交換器に供給する高温水供給管と、前記暖房熱交換器で熱交換後の温度低下した温水を戻り管を介して、前記貯湯タンク下部の戻り口より該貯湯タンクに戻す一次側循環ポンプを備えた一次循環回路と、前記暖房熱交換器を通過して加熱された熱媒を、暖房用放熱器で放熱させた後に再び前記暖房熱交換器に循環させる二次側循環ポンプを備えた二次循環回路とを備えて室内の暖房を行うようにし、前記出湯口から戻り口までの間の貯湯タンクには中温水の取り出し口と、該取り出し口に連通する取り出し管を備え、この取り出し管を高温水供給管途中に接続し、この接続部分には出湯口からの高温水と取り出し口からの中温水とを所定温度にミキシングする混合弁を備えた貯湯式暖房装置に於いて、前記二次循環回路を流れる熱媒の温度を検出する熱媒温度検出手段を前記二次循環回路内に設け、前記熱媒温度検出手段により検出される熱媒温度が凍結防止温度以下になった場合、前記出湯口からの高温水と前記取り出し口からの中温水もしくは低温水とを所定温度に混合した温水か、あるいは前記取り出し口からの中温水のみを、前記一次側循環ポンプを駆動させて前記一次循環回路に循環させると共に、前記暖房熱交換器を通過して加熱された熱媒を前記二次循環回路内に備えた二次側循環ポンプを駆動させることにより、前記二次循環回路内に循環させることで前記二次循環回路の凍結防止を行うことを特徴とする貯湯式暖房装置。
【発明の詳細な説明】
【技術分野】
【０００１】
この発明は、貯湯タンク内の温水を熱源とする貯湯式暖房装置で、特に凍結防止に関するものである。
【背景技術】
【０００２】
従来この種のものにおいては特許文献１に開示されているように、図１０に示すようなものがあった。ここで、１０１はヒートポンプユニット、１０２は貯湯タンクで、この貯湯タンク１０２底部から取り出した５℃〜２５℃程度の低温水をヒートポンプユニット１０１で７０℃〜９０℃程度に加熱して貯湯タンク１０２の上部から積層貯湯していくものである。
【０００３】
１０３は暖房用の熱交換器で、貯湯タンク１０２上部に接続された高温水供給管１０４および貯湯タンク下部に接続された戻り管１０５により、貯湯タンク１０２と循環可能に接続されており、貯湯タンク１０２内の高温水を熱交換器１０３に流入させて二次側の暖房回路の熱媒を加熱し、二次側循環ポンプ１０６により熱媒を循環させ、床暖房パネルなどの暖房負荷端末１０７により放熱するものである。
【０００４】
そして、貯湯タンク１０２の上部から取り出された高温水は前記熱交換器１０３で熱交換されて温度低下し、４０℃〜６０℃程度の中温水となって貯湯タンク１０２の下部から貯湯タンク１０２内に戻る構成となっている。
【０００５】
また二次側の暖房回路の熱媒には、不凍液を用いる場合と水道水を用いる場合があり、二次側の暖房回路の熱媒に水道水を用いた場合には二次側の暖房回路内に滞留する水道水が冷えて凍結するおそれがあり、これを防止するために循環ポンプ１０６を駆動させ、二次側の暖房回路内の水道水を循環させる方法がとられている。
【特許文献１】特開２００３−２４０３４２号公報
【発明の開示】
【発明が解決しようとする課題】
【０００６】
ところで、この従来のものは前記二次側の暖房回路内の熱媒に不凍液ではなく水を使用した場合には、循環ポンプを駆動させ前記二次側の暖房回路内の水を循環させることで凍結防止を行っていたが、この従来のものを室内が暖かく湿度も多い状態の室内で凍結防止運転としてただ単に暖房回路内の水を循環ポンプにより循環させると、放熱器として床暖房パネル等を用いた場合には、床表面の温度低下により室温の低下や床表面の結露のおそれがあるという問題を有するものであった。
【課題を解決するための手段】
【０００７】
この発明は上記課題を解決するために、特に請求項１ではその構成を、貯湯タンク内の湯水を高温に加熱する加熱手段と、前記貯湯タンク上部の出湯口からの高温水を暖房熱交換器に供給する高温水供給管と、前記暖房熱交換器で熱交換後の温度低下した温水を戻り管を介して、前記貯湯タンク下部の戻り口より該貯湯タンクに戻す一次側循環ポンプを備えた一次循環回路と、前記暖房熱交換器を通過して加熱された熱媒を、暖房用放熱器で放熱させた後に再び暖房熱交換器に循環させる二次側循環ポンプを備えた二次循環回路とを備えて室内の暖房を行うようにし、前記出湯口から戻り口までの間の貯湯タンクには中温水の取り出し口と、該取り出し口に連通する取り出し管を備え、この取り出し管を高温水供給管途中に接続し、この接続部分あるいは接続部分と前記出湯口との間の前記高温水供給管および前記取り出し管に、温水の取り出しを出湯口と取り出し口とで切替える切替手段を備えた貯湯式暖房装置に於いて、前記二次循環回路を流れる熱媒の温度を検出する熱媒温度検出手段を前記二次循環回路内に設け、前記熱媒温度検出手段により検出される熱媒温度が凍結防止温度以下になった場合、前記切替手段を前記取り出し口側に切り替え、前記一次側循環ポンプを駆動させて前記取り出し管からの温水を前記一次循環回路に循環させると共に、前記暖房熱交換器を通過して加熱された熱媒を前記二次循環回路内に備えた二次側循環ポンプを駆動させることにより、前記二次循環回路内に循環させることで前記二次循環回路の凍結防止を行うものである。
【０００８】
また請求項２では、貯湯タンク内の湯水を高温に加熱する加熱手段と、前記貯湯タンク上部の出湯口からの高温水を暖房熱交換器に供給する高温水供給管と、前記暖房熱交換器で熱交換後の温度低下した温水を戻り管を介して、前記貯湯タンク下部の戻り口より該貯湯タンクに戻す一次側循環ポンプを備えた一次循環回路と、前記暖房熱交換器を通過して加熱された熱媒を、暖房用放熱器で放熱させた後に再び暖房熱交換器に循環させる二次側循環ポンプを備えた二次循環回路とを備えて室内の暖房を行うようにし、前記出湯口から戻り口までの間の貯湯タンクには中温水の取り出し口と、該取り出し口に連通する取り出し管を備え、この取り出し管を高温水供給管途中に接続し、この接続部分には出湯口からの高温水と取り出し口からの中温水とを所定温度にミキシングする混合弁を備えた貯湯式暖房装置に於いて、前記二次循環回路を流れる熱媒の温度を検出する熱媒温度検出手段を前記二次循環回路内に設け、前記熱媒温度検出手段により検出される熱媒温度が凍結防止温度以下になった場合、前記出湯口からの高温水と前記取り出し口からの中温水もしくは低温水とを所定温度に混合した温水か、あるいは前記取り出し口からの中温水のみを、前記一次側循環ポンプを駆動させて前記一次循環回路に循環させると共に、前記暖房熱交換器を通過して加熱された熱媒を前記二次循環回路内に備えた二次側循環ポンプを駆動させることにより、前記二次循環回路内に循環させることで前記二次循環回路の凍結防止を行うものである。
【発明の効果】
【０００９】
この発明によれば、前記二次循環回路内の熱媒温度が凍結防止温度以下になった場合、暖房使用で発生した中温水を前記切替手段の切替えで前記取り出し口から取り出し循環させるか、または暖房使用で発生した中温水もしくは給水管から貯湯タンク内に供給された低温水と高温水とを混合弁により所定温度に混合して循環させるか、あるいは暖房使用で発生した中温水を前記混合弁の開度を前記取り出し口側を１００％開口状態にして取り出し循環させて、前記二次循環回路内の熱媒の昇温に使用し、前記二次側循環ポンプにより前記二次循環回路内の熱媒を循環させることで、前記二次循環回路内の熱媒の凍結を防止すると共に、放熱手段として床暖房パネルを用いた場合、昇温した熱媒を循環させることにより室内の温度低下防止や床表面の結露の防止ができ、また昇温した熱媒の循環による予熱作用もあるので、床暖房使用時の立ち上がり負荷も軽減できるものである。
【発明を実施するための最良の形態】
【００１０】
次にこの発明の一実施形態の貯湯式暖房装置を図１に基づき説明する。
この貯湯式暖房装置は、時間帯別契約電力の電力単価が安価な深夜時間帯に湯水を沸き上げて貯湯し、この貯湯した湯水を暖房に用いるものであり、熱交換により温度低下した中温水を、暖房だけでなく前記二次循環回路内の熱媒温度が凍結防止温度以下になった場合には凍結防止にも用いるものである。
１は湯水を貯湯する貯湯タンク２を備えた貯湯タンクユニット、３は貯湯タンク２内の温水を加熱する加熱手段を構成するヒートポンプユニット、４は貯湯タンク２の温水と熱媒が熱交換する暖房熱交換器、５は適宜室内に設置された暖房用放熱器である。
【００１１】
前記貯湯タンクユニット１の貯湯タンク２は、下端に給水管６を接続し、上端に出湯口７を設けこの出湯口７と暖房熱交換器４入口とは高温水供給管８で連通されており、該暖房熱交換器４下部の出口と貯湯タンク２側面下部の戻り口９とは一次側循環ポンプ１０を備えた戻り管１１で連通しており、この高温水供給管８と暖房熱交換器４及び一次側循環ポンプ１０を備えた戻り管１１とで一次循環回路１２を構成するものである。
【００１２】
１３はヒーポン循環回路で、貯湯タンク２底部とヒートポンプユニット３とを結び該貯湯タンク２内の湯水をヒートポンプユニット３に供給するヒーポン往き管１４と、ヒートポンプユニット３と貯湯タンク２上端とを連通し、該ヒートポンプユニット３で沸き上げられた温水を貯湯タンク２上部に戻すヒーポン戻り管１５と、前記ヒーポン往き管１４途中に備えられたヒーポン循環ポンプ１６とから構成されている。
【００１３】
１７は暖房を行う二次循環回路で、暖房熱交換器４で加熱された熱媒を、二次側循環ポンプ１８の駆動により暖房用放熱器５に循環させて、ここで放熱させることで室内の暖房を行い温度低下した熱媒を、再び暖房熱交換器４に循環して加熱する循環を順次繰り返すものであり、１９は前記二次循環回路１７途中に設けた補水用タンクである。
【００１４】
２０は前記暖房熱交換器４で熱媒と熱交換し温度降下して貯湯タンク２に戻された４０℃〜６０℃の中温水を取り出す取り出し口で、出湯口７と戻り口９のほぼ中間の貯湯タンク２側面に形成されており、この取り出し口２０には取り出し管２１が接続され、該取り出し管２１の他端は高温水供給管８に接続されるが、この接続部分には暖房熱交換器４へ供給する温水を、高温水供給管８からの高温水と取り出し管２１からの中温水のどちらかを選択する切替手段としての切替弁２２が備えられている。
【００１５】
２３はマイコンから成る制御回路で、貯湯タンク２内の上下方向各層での温度を検知する上部の温度検知用としての第１貯湯温度センサ２４、中間部の温度検知用としての第２貯湯温度センサ２５、下部の温度検知用としての第３貯湯温度センサ２６、一次循環回路１２の温度を検知するように暖房熱交換器４に入り口に備えられた暖房温度センサ２７、二次循環回路１７を循環する熱媒の温度を検出する熱媒温度検出手段２８、がそれぞれ入力側に接続されており、出力側には切替弁２２、一次側循環ポンプ１０、二次側循環ポンプ１８、更に適宜沸き増しを指示するためにヒートポンプユニット３が接続されている。
【００１６】
次に図１に示す一実施形態の作動について説明すれば、貯湯タンク２内には深夜時間帯中にヒートポンプユニット３の駆動で高温の温水を貯湯するものであり、そしてこの温水を暖房用に使用するものであるが、当初中温水はないために、切替弁２２は高温水供給管８側と連通状態であって、この高温水が一次側循環ポンプ１０の駆動で暖房熱交換器４を流通し、ここで二次側循環ポンプ１８の駆動で循環する二次側の熱媒、ここでは水道水と熱交換して昇温させ、この温度上昇した熱媒を暖房用放熱器５、ここでは床暖房パネルで放熱させることで、良好な室内暖房を行うものである。
【００１７】
一方この暖房で二次側の熱媒と熱交換して温度降下した温水は、戻り管１１を介して貯湯タンク２に戻されて中温水となり、この中温水を暖房で使用できる温度であれば切替弁２２を取り出し管２１側を連通状態にして優先的に暖房に使用し、また前記二次循環回路１７内の熱媒温度が凍結防止温度以下になった場合には凍結防止に用いるものである。ここで図３に本実施の形態に係る制御によって行われる凍結防止のフローチャートを示す。
【００１８】
図３に示すように、熱媒温度検出手段２８による熱媒温度Ｔｈと凍結防止温度、ここでは４℃を比較し（Ｓ１）、熱媒温度Ｔｈが４℃と同じか低い時には、ＹＥＳで第２貯湯温度センサ２５による中温水温度Ｔｍと所定温度、ここでは４０℃との比較を行う（Ｓ２）。ＮＯの時には、スタートに戻る。
【００１９】
（Ｓ２）で第２貯湯温度センサ２５による中温水温度Ｔｍが４０℃と同じか高い時には、ＹＥＳで切替弁２２を取り出し管２１側に連通状態にして（Ｓ３）、一次側循環ポンプ１０と二次側循環ポンプ１８を駆動させる（Ｓ５）。ここで中温水を二次循環回路１７の昇温に利用することで、二次循環回路１７内の凍結を防止するだけでなく、二次側の昇温した熱媒を循環させることにより室内の温度低下防止や床表面の結露の防止ができ、また昇温した熱媒の循環による予熱作用もあるので、床暖房使用時の立ち上がり負荷も軽減でき、さらに、中温水の温度を下げヒートポンプでの再加熱時のＣＯＰを向上させることができるものである。
【００２０】
また、（Ｓ２）でＮＯの時には、切替弁２２を高温水供給管８側に連通状態にして（Ｓ４）、一次側循環ポンプ１０と二次側循環ポンプ１８を駆動させる（Ｓ５）。ここで高温水を二次循環回路１７の昇温に利用することで、二次循環回路１７内の凍結を防止するだけでなく、二次側の昇温した熱媒を循環させることにより室内の温度低下防止や床表面の結露の防止ができ、また昇温した熱媒の循環による予熱作用もあるので、床暖房使用時の立ち上がり負荷も軽減でき、さらに中温水を利用した場合よりも早く凍結防止運転を終えることができるものである。
【００２１】
また、（Ｓ４）で切替弁２２を高温水供給管８側に連通状態にして高温水を使用する場合、一次側循環ポンプ１０の回転数を制御し最低流量で循環させる構成にしてもよい。そうすることで、凍結防止の際に使用する高温水の消費量を少量に抑えることができるものである。
【００２２】
（Ｓ５）により貯湯タンク２の温水と二次側の熱媒が熱交換し、熱媒温度検出手段２８による熱媒温度Ｔｈが１０℃と同じか高くなったら（Ｓ６）、ＹＥＳで一次側循環ポンプ１０および二次側循環ポンプ１８を停止させ（Ｓ７）、凍結防止運転を終了する。（Ｓ６）で熱媒温度検出手段２８による熱媒温度Ｔｈが１０℃に満たない場合はＮＯを繰り返すわけだが、（Ｓ３）で切替弁２２を取り出し管２１側に連通状態にして中温水を循環させる場合においては、（Ｓ６）でＮＯを繰り返す間に一次側を循環させる中温水の温度が低くなり、凍結防止運転時間が長く掛かってしまうおそれが出てくる。これを防ぐために、暖房熱交換器４の入り口に備えられた暖房温度センサ２７により一次循環回路１２内を循環する温水の温度を監視し、４０℃よりも低下した場合は切替弁２２を高温水供給管８側に連通状態にして高温水を循環させる構成にしてもよい。
【００２３】
そして凍結防止運転終了後、再度（Ｓ１）により凍結防止運転が必要な条件を満たしているかどうかを判断して、必要と判断した場合には、再び凍結防止運転を開始するように構成している。
【００２４】
次に図４に示す他の実施形態について説明するが、図１と同一部分には同一符号を付し説明を省略し、相違部分のみを説明すると、先の実施形態では切替手段として切替弁２２を高温水供給管８と中温水の取り出し管２１との接続部分に備えたものであるが、ここでは切替弁２２の代わりに切替手段として開閉弁２９、開閉弁３０をそれぞれ取り出し管２１、前記接続部分と出湯口７との間の高温水供給管８に備えたものであり、高温水と中温水のどちらを使用するかにより開閉弁２９、開閉弁３０の選択を切り替えるものである。
【００２５】
また、図５に示す他の実施形態のブロック図について説明するが、図２と同一部分には同一符号を付し説明を省略し、相違部分のみを説明すると、出力側の切替弁２２の代わりに開閉弁２９と開閉弁３０を接続したものである。ここで図６に図４の実施の形態に係る制御によって行われる凍結防止のフローチャートを示す。
【００２６】
図６に示すように、熱媒温度検出手段２８による熱媒温度Ｔｈと凍結防止温度、ここでは４℃を比較し（Ｓ１）、熱媒温度Ｔｈが４℃と同じか低い時には、ＹＥＳで第２貯湯温度センサ２５による中温水温度Ｔｍと所定温度、ここでは４０℃との比較を行う（Ｓ２）。ＮＯの時には、スタートに戻る。
【００２７】
（Ｓ２）で第２貯湯温度センサ２５による中温水温度Ｔｍが４０℃と同じか高い時には、ＹＥＳで開閉弁２９を取り出し管２１側に連通状態にして（Ｓ８）、一次側循環ポンプ１０と二次側循環ポンプ１８を駆動させる（Ｓ５）。ここで中温水を二次循環回路１７の昇温に利用することで、二次循環回路１７内の凍結を防止するだけでなく、二次側の昇温した熱媒を循環させることにより室内の温度低下防止や床表面の結露の防止ができ、また昇温した熱媒の循環による予熱作用もあるので、床暖房使用時の立ち上がり負荷も軽減でき、さらに、中温水の温度を下げヒートポンプでの再加熱時のＣＯＰを向上させることができるものである。
【００２８】
また、（Ｓ２）でＮＯの時には、開閉弁３０を高温水供給管８側に連通状態にして（Ｓ９）、一次側循環ポンプ１０と二次側循環ポンプ１８を駆動させる（Ｓ５）。ここで高温水を二次循環回路１７の昇温に利用することで、二次循環回路１７内の凍結を防止するだけでなく、二次側の昇温した熱媒を循環させることにより室内の温度低下防止や床表面の結露の防止ができ、また昇温した熱媒の循環による予熱作用もあるので、床暖房使用時の立ち上がり負荷も軽減でき、さらに中温水を利用した場合よりも早く凍結防止運転を終えることができるものである。
【００２９】
また、（Ｓ９）で開閉弁３０を高温水供給管８側に連通状態にして高温水を使用する場合、一次側循環ポンプ１０の回転数を制御し最低流量で循環させる構成にしてもよい。そうすることで、凍結防止の際に使用する高温水の消費量を少量に抑えることができるものである。
【００３０】
（Ｓ５）により貯湯タンク２の温水と二次側の熱媒が熱交換し、熱媒温度検出手段２８による熱媒温度Ｔｈが１０℃と同じか高くなったら（Ｓ６）、ＹＥＳで一次側循環ポンプ１０および二次側循環ポンプ１８を停止させ（Ｓ７）、凍結防止運転を終了する。（Ｓ６）で熱媒温度検出手段２８による熱媒温度Ｔｈが１０℃に満たない場合はＮＯを繰り返すわけだが、（Ｓ８）で開閉弁２９を取り出し管２１側に連通状態にして中温水を循環させる場合においては、（Ｓ６）でＮＯを繰り返す間に一次側を循環させる中温水の温度が低くなり、凍結防止運転時間が長く掛かってしまうおそれが出てくる。これを防ぐために、暖房熱交換器４の入り口に備えられた暖房温度センサ２７により一次循環回路１２内を循環する温水の温度を監視し、４０℃よりも低下した場合は切替弁２２を高温水供給管８側に連通状態にして高温水を循環させる構成にしてもよい。
【００３１】
そして凍結防止運転終了後、再度（Ｓ１）により凍結防止運転が必要な条件を満たしているかどうかを判断して、必要と判断した場合には、再び凍結防止運転を開始するように構成している。
【００３２】
次に図７に示す他の実施形態について説明するが、図１と同一部分には同一符号を付し説明を省略し、相違部分のみを説明すると、高温水供給管８と中温水の取り出し管２１との接続部分に切替弁２２ではなく、高温水と中温水とをミキシングして供給できる混合弁３１を備えたものである。
【００３３】
前記混合弁３１は、ミキシング後の混合水温度を検知する暖房温度センサ２７が、予め設定された設定温度を検知するように、第１貯湯温度センサ２４による高温水温度と、第２貯湯温度センサ２５による中温水温度とから、混合弁３１の駆動を制御して、この混合水を暖房熱交換器４に流入させることで、二次循環回路１７の凍結防止を行わせるものである。
【００３４】
また、図８に示す他の実施形態のブロック図について説明するが、図２と同一部分には同一符号を付し説明を省略し、相違部分のみを説明すると、出力側の切替弁２２の代わりに混合弁３１を接続したものである。ここで図９に図７の実施の形態に係る制御によって行われる凍結防止のフローチャートを示す。
【００３５】
図９に示すように、熱媒温度検出手段２８による熱媒温度Ｔｈと凍結防止温度、ここでは４℃とを比較し（Ｓ１）、熱媒温度Ｔｈが４℃と同じか低い時には、ＹＥＳで第２貯湯温度センサ２５による中温水温度Ｔｍと所定温度、ここでは４０℃との比較を行う（Ｓ２）。ＮＯの時には、スタートに戻る。
【００３６】
（Ｓ２）で第２貯湯温度センサ２５による中温水温度Ｔｍが４０℃と同じか高い時には、ＹＥＳで混合弁３１を取り出し管２１側に１００％の開口状態で連通状態にし（Ｓ１０）、一次側循環ポンプ１０と二次側循環ポンプ１８を駆動させる（Ｓ５）。ここで中温水を二次循環回路１７の昇温に利用することで、二次循環回路１７内の凍結を防止するだけでなく、二次側の昇温した熱媒を循環させることにより室内の温度低下防止や床表面の結露の防止ができ、また昇温した熱媒の循環による予熱作用もあるので、床暖房使用時の立ち上がり負荷も軽減でき、さらに、中温水の温度を下げヒートポンプでの再加熱時のＣＯＰを向上させることができるものである。
【００３７】
また、（Ｓ２）でＮＯの時には、予め設定された設定温度、ここでは４０℃になるように混合弁３１の開度を制御し（Ｓ１１）、高温水と中温水、あるいは高温水と低温水をミキシングした温水を供給して一次側循環ポンプ１０と二次側循環ポンプ１８を駆動させる（Ｓ５）。ここで混合弁３１によりミキシングされた温水を二次循環回路１７の昇温に利用することで、二次循環回路１７内の凍結を防止するだけでなく、二次側の昇温した熱媒を循環させることにより室内の温度低下防止や床表面の結露の防止ができ、また昇温した熱媒の循環による予熱作用もあるので、床暖房使用時の立ち上がり負荷も軽減でき、さらに、中温水の温度を下げヒートポンプでの再加熱時のＣＯＰを向上させることができるものである。
【００３８】
（Ｓ５）により貯湯タンク２の温水と二次側の熱媒が熱交換し、熱媒温度検出手段２８による熱媒温度Ｔｈが１０℃と同じか高くなったら（Ｓ６）、ＹＥＳで一次側循環ポンプ１０および二次側循環ポンプ１８を停止させ（Ｓ７）、凍結防止運転を終了する。（Ｓ６）で熱媒温度検出手段２８による熱媒温度Ｔｈが１０℃に満たない場合はＮＯを繰り返すわけだが、（Ｓ１０）で混合弁３１を取り出し管２１側に１００％の開口状態で連通状態にして、中温水を循環させる場合においては、（Ｓ６）でＮＯを繰り返す間に一次側を循環させる中温水の温度が低くなり、凍結防止運転時間が長く掛かってしまうおそれが出てくる。これを防ぐために、暖房熱交換器４の入り口に備えられた暖房温度センサ２７により一次循環回路１２内を循環する温水の温度を監視し、４０℃よりも低下した場合は混合弁３１の開度を制御し、高温水と中温水、あるいは高温水と低温水をミキシングした温水を循環させる構成にしてもよい。
【００３９】
そして凍結防止運転終了後、再度（Ｓ１）により凍結防止運転が必要な条件を満たしているかどうかを判断して、必要と判断した場合には、再び凍結防止運転を開始するように構成している。
【図面の簡単な説明】
【００４０】
【図１】この発明の一実施形態の概略構成図。
【図２】同要部電気回路のブロック図。
【図３】同要部フローチャート。
【図４】開閉弁を使用した他の実施形態の概略構成図。
【図５】同要部電気回路のブロック図。
【図６】同要部フローチャート
【図７】混合弁を使用した他の実施形態の概略構成図
【図８】同要部電気回路のブロック図
【図９】同要部フローチャート
【図１０】従来例の概略構成図
【符号の説明】
【００４１】
２  貯湯タンク
３  加熱手段（ヒートポンプユニット）
４  暖房熱交換器
５  暖房用放熱器
７  出湯口
８  高温水供給管
９  戻り口
１０  一次側循環ポンプ
１１  戻り管
１２  一次循環回路
１７  二次循環回路
１８  二次側循環ポンプ
２０  取り出し口
２１  取り出し管
２２  切替弁
２８  熱媒温度検出手段
２９  開閉弁
３０  開閉弁
３１  混合弁
【図１】
2008051354.tif 000003
【図２】
2008051354.tif 000004
【図３】
2008051354.tif 000005
【図４】
2008051354.tif 000006
【図５】
2008051354.tif 000007
【図６】
2008051354.tif 000008
【図７】
2008051354.tif 000009
【図８】
2008051354.tif 000010
【図９】
2008051354.tif 000011
【図１０】
2008051354.tif 000012